(57)【特許請求の範囲】
【請求項１】
ガラス天板と、ガラス天板に開設したコンロ開口に臨むガスバーナとを備えるガスコンロであって、ガスバーナの燃焼用空気を送風機により強制給気するようにしたものにおいて、
前記コンロ開口内に隙間を存して挿入される筒部と、前記ガラス天板の上面に隙間を存して対向する上端のフランジ部とを有するガイド部材を設けて、該ガイド部材と前記ガラス天板との間に、前記送風機によって送風される空気の一部を前記ガラス天板の上面側に導く導風路を形成することを特徴とするガスコンロ。
【請求項２】
前記フランジ部を径方向外方に向かって下方に傾斜させることを特徴とする請求項１に記載のガスコンロ。
【請求項３】
前記フランジ部に複数の五徳爪を結合し、これら五徳爪と前記ガイド部材とで五徳を構成することを特徴とする請求項１または２に記載のガスコンロ。
【発明の詳細な説明】
【０００１】
【発明の属する技術分野】
本発明は、ガラス天板と、ガラス天板に開設したコンロ開口に臨むガスバーナとを備えるガスコンロに関する。
【０００２】
【従来の技術】
ガスコンロでは、熱効率を向上する上ために、五徳を低くして調理容器とガスバーナとの間の距離を短くすることが望まれるが、このままでは燃焼排気の排出抵抗の増加で燃焼不良を生ずるため、送風機により燃焼用空気を強制給気することが必要になり、更に、天板が過熱され易くなるため、天板の冷却も必要になる。
【０００３】
そこで、従来、特公平７―９６９２８号公報に見られるように、送風機の作動で空気を強制的に流す通風路を天板の下面に沿わせて設けると共に、ガスバーナに対する燃焼用空気の給気通路を通風路の途中から分岐し、天板の空冷とガスバーナへの燃焼用空気の強制給気とを行うようにしたものが知られている。
【０００４】
尚、上記公報のガスコンロは、金属製の天板を用いているが、耐熱ガラスから成るガラス天板を用いたガスコンロも知られている。
【０００５】
【発明が解決しようとする課題】
ところで、ガラス天板は熱伝導率が低く、上記の如く通風路に流す空気でガラス天板の下面を冷却しても、燃焼排気に晒されるガラス天板の上面の温度は左程低下せず、煮こぼれを生じた場合、煮こぼれがガラス天板の上面にこびり付き易くなる。
【０００６】
本発明は、以上の点に鑑み、ガラス天板の上面を効果的に冷却できるようにしたガスコンロを提供することをその課題としている。
【０００７】
【課題を解決するための手段】
上記課題を解決するために、本発明は、ガラス天板と、ガラス天板に開設したコンロ開口に臨むガスバーナとを備えるガスコンロであって、ガスバーナの燃焼用空気を送風機により強制給気するようにしたものにおいて、前記コンロ開口内に隙間を存して挿入される筒部と、前記ガラス天板の上面に隙間を存して対向する上端のフランジ部とを有するガイド部材を設けて、該ガイド部材と前記ガラス天板との間に、前記送風機によって送風される空気の一部を前記ガラス天板の上面側に導く導風路を形成している。
【０００８】
上記の構成によれば、ガイド部材のフランジ部の外周縁におけるガラス天板との間の隙間を吹き出し口として、導風路内の空気がガラス天板の上面に沿って外方に吹き出される。そのため、ガラス天板の上面に燃焼排気が直接接触せず、上面に沿って流れる空気の空冷作用と相俟って、ガラス天板の上面が効果的に冷却され、煮こぼれのこびり付きは生じない。
【０００９】
この場合、フランジ部を径方向外方に向かって下方に傾斜させておけば、フランジ部とガラス天板との間の隙間がフランジ部外周の吹き出し口に向かって狭められることになり、吹き出し口からの空気の吹き出し速度が速められる。そのため、ガラス天板の上面に沿って空気がより遠方まで流れるようになり、冷却範囲が広がる。
【００１０】
また、フランジ部に複数の五徳爪を結合し、これら五徳爪とガイド部材とで五徳を構成すれば、部品点数を削減してコストダウンを図ることができ、有利である。
【００１１】
【発明の実施の形態】
図１は、グリル付きの２口ガスコンロを示している。このガスコンロは、セラミックガラス等の耐熱ガラスから成るガラス天板１を備えている。ガラス天板１には、左右一対のコンロ開口２，２と、後部のグリル用排気口３とが開設されている。各コンロ開口２には、図２に示す如く、コンロ本体内に設けたガスバーナ４を臨ませている。そして、ガラス天板１上に五徳５を介して載置する調理容器Ｐを、コンロ開口２を通して立ちのぼるガスバーナ４の火炎で加熱するようにしている。尚、ガスバーナ４は、ガラス天板１の下方に配置される、コンロ開口２と同心の環状のバーナヘッド４ａに内向きの炎孔４ｂを多数形成して成る内炎式バーナで構成されている。また、コンロ開口２の開口縁には、割れ防止のための保護部材２ａが装着されている。
【００１２】
五徳５は、熱効率を向上するため、比較的低く形成されており、これによる燃焼排気の排出抵抗の増加で燃焼不良を生じないように、ガスバーナ４の燃焼用空気（二次空気）を送風機６により強制給気している。これを詳述するに、バーナヘッド４ａを収納するケーシング７をガラス天板１の下面にパッキン７ａを介して接するように設けて、送風機６からケーシング７内に空気を送風し、炎孔４ｂからのガス噴出部にバーナヘッド４ａの上方と下方とから燃焼用空気を強制的に供給している。また、ケーシング７内の底部に、コンロ開口２から落下する煮こぼれを受ける汁受け皿８をバーナヘッド４ａの内周に収まるように配置し、バーナヘッド４ａの下方からガス噴出部に向かう空気の流路面積を汁受け皿８とバーナヘッド４ａとの間の隙間で絞ることにより空気の流速を速め、火炎が下方にのびることを効果的に防止できるようにしている。
【００１３】
また、五徳５を低くすると、調理容器Ｐの底面に沿って外方に流れる燃焼排気がガラス天板１の上面に触れて、ガラス天板１の上面が高温になる。そこで、本実施形態では、コンロ開口２内に隙間を存して挿入される筒部９ａと、ガラス天板１の上面に隙間を存して対向する上端のフランジ部９ｂとを有するガイド部材９を設け、このガイド部材９とガラス天板１との間に、送風機６によりケーシング７内に送風された空気の一部をガラス天板１の上面側に導く導風路１０を形成している。
【００１４】
これによれば、フランジ部９ｂの外周縁におけるガラス天板１との間の隙間を吹き出し口１０ａとして、導風路１０内の空気がガラス天板１の上面に沿って外方に吹き出し、ガラス天板１の上面を薄膜状に覆う空気流が生成される。そのため、燃焼排気がガラス天板１の上面に接触しなくなり、空気流による空冷作用と相俟って、ガラス天板１の上面が効果的に冷却され、煮こぼれのこびり付きを生じなくなる。
【００１５】
また、フランジ部９ｂは、径方向外方に向かって下方に傾斜しており、そのため、フランジ部９ｂとガラス天板１との間の隙間が吹き出し口１０ａに向かって狭められ、吹き出し口１０ａからの空気の吹き出し速度が速められる。従って、ガラス天板１の上面に沿って空気がより遠方まで流れるようになり、ガラス天板１が広範囲に冷却される。
【００１６】
ところで、五徳５は、複数の五徳爪５ａと、これら五徳爪５ａを相互に連結する五徳枠とで構成されるが、本実施形態では、これら五徳爪５ａをガイド部材９のフランジ部９ｂに結合して、ガイド部材９を五徳枠に兼用している。また、ガイド部材９の筒部９ａの周方向複数箇所（例えば１２０°間隔で３箇所）に、コンロ開口２の開口縁に装着した保護部材２ａに当接する凸部９ｃを形成し、コンロ開口２に対しガイド部材９を介して五徳５を位置決めできるようにしている。
【００１７】
尚、上記第１実施形態では、筒部９ａの下端をガラス天板１の下方位置で外方に拡開させて、ケーシング７内の空気を導風路１０に導入し易くしているが、図３に示す第２実施形態のように、ガラス天板１の下面との間に隙間を存して配置した導入ガイド１１を介して導風路１０にケーシング７内の空気を導入しても良い。
【００１８】
導入ガイド１１は、ガスバーナ４の点火プラグ４ｃ等を取り付けるケーシング７内のブラケット１２に固定されている。そして、導入ガイド１１に、ガイド部材９の筒部９ａに遊嵌する筒部１１ａを形成し、ガイド部材９、即ち、五徳５を導入ガイド１１を介して位置決めできるようにしている。
【００１９】
尚、第２実施形態のガスバーナ４は、板金製の内炎式バーナで構成されている。また、ガスバーナ４は、バーナヘッドの外周に外向きの炎孔を形成して成る外炎式バーナであっても良い。
【図面の簡単な説明】
【図１】本発明ガスコンロの第１実施形態の平面図。
【図２】図１のＩＩ―ＩＩ線で切断した拡大断面図。
【図３】本発明ガスコンロの第２実施形態の要部の断面図。
【符号の説明】
１…ガラス天板  ２…コンロ開口  ４…ガスバーナ  ５…五徳  ５ａ…五徳爪６…送風機  ９…ガイド部材  ９ａ…筒部  ９ｂ…フランジ部  １０…導風路
【図１】
0003701634.tif 000002
【図２】
0003701634.tif 000003
【図３】
0003701634.tif 000004